(57)【要約】  本発明は、石鹸への熱伝達を改善するための、（ｉ）水、（ii）砂糖、ソルビトール又はそれらの混合物及び（iii）保湿剤の使用を提供する。【特許請求の範囲】
【請求項１】
石鹸への熱伝達を改善するための、（ｉ）水、（ii）砂糖、ソルビトール又はそれらの混合物、及び（iii）保湿剤の使用。
【請求項２】
（ｉ）水、（ii）砂糖、ソルビトール又はそれらの混合物、及び（iii）保湿剤が、石鹸基剤中で接触しており、前記石鹸基剤が、前記石鹸基剤の２０〜５０重量％の量の石鹸を含む、請求項１に記載の使用。
【請求項３】
石鹸が、全組成の３５〜４５重量％の量で存在する、請求項２に記載の使用。
【請求項４】
石鹸が、全組成のおよそ３８重量％の量で存在する、請求項２又は３に記載の使用。
【請求項５】
石鹸が、鹸化植物油又はバターである、請求項１〜４のいずれかに記載の使用。
【請求項６】
（ｉ）水、（ii）砂糖、ソルビトール又はそれらの混合物、及び（iii）保湿剤が、石鹸基剤中で接触しており、前記石鹸基剤が、
（ｉ）前記石鹸基剤の８〜４０重量％の量の水
を含む、請求項１〜５のいずれかに記載の使用。
【請求項７】
水が、全組成の８〜１６重量％の量で存在する、請求項６に記載の使用。
【請求項８】
水が、全組成のおよそ１２重量％の量で存在する、請求項６又は７に記載の使用。
【請求項９】
水が、蒸留水、脱イオン水、水道水、植物浸出液、植物煎じ汁（茶及びコーヒーを含む）、フルーツジュース、野菜ジュース、酢、ビール、ワイン、蒸留酒及びそれらの混合物から選択される供給源によって提供される、請求項１〜８のいずれかに記載の使用。
【請求項１０】
（ｉ）水、（ii）砂糖、ソルビトール又はそれらの混合物、及び（iii）保湿剤が、石鹸基剤中で接触しており、前記石鹸基剤が、
（ii）砂糖及びソルビトールを合わせた量が、全組成の２〜１５重量％である、砂糖、ソルビトール又はそれらの混合物
を含む、請求項１〜９のいずれかに記載の使用。
【請求項１１】
砂糖及びソルビトールを合わせた量が、全組成の５〜１５重量％である、請求項１０に記載の使用。
【請求項１２】
砂糖及びソルビトールを合わせた量が、全組成の６〜１２．５重量％である、請求項１０又は１１に記載の使用。
【請求項１３】
石鹸基剤が、砂糖を含む、請求項１〜１２のいずれかに記載の使用。
【請求項１４】
砂糖が、上白糖、グラニュー糖、ブラウンシュガー、スクロース粉末、フルクトース粉末から選択される、請求項１〜１３のいずれかに記載の使用。
【請求項１５】
砂糖が、スクロース及びフルクトースから選択される、請求項１〜１４のいずれかに記載の使用。
【請求項１６】
砂糖が、スクロースである、請求項１〜１５のいずれかに記載の使用。
【請求項１７】
石鹸基剤が、ソルビトールを含む、請求項１〜１６のいずれかに記載の使用。
【請求項１８】
石鹸基剤が、砂糖及びソルビトールを含む、請求項１〜１７のいずれかに記載の使用。
【請求項１９】
（ｉ）水、（ii）砂糖、ソルビトール又はそれらの混合物、及び（iii）保湿剤が、石鹸基剤中で接触しており、前記石鹸基剤が、
（iii）前記石鹸基剤の５〜４０重量％の量の保湿剤
を含む、請求項１〜１８のいずれかに記載の使用。
【請求項２０】
保湿剤が、全組成の１０〜２０重量％の量で存在する、請求項１９に記載の使用。
【請求項２１】
保湿剤が、全組成の１２．５〜１７重量％の量で存在する、請求項１９又は２０に記載の使用。
【請求項２２】
保湿剤が、蜂蜜、グリセリン、アガベネクター、フルーツシロップ、ハーブシロップ及びそれらの混合物から選択される、請求項１〜２１のいずれかに記載の使用。
【請求項２３】
保湿剤が、蜂蜜、グリセリン及びそれらの混合物から選択される、請求項１〜２２のいずれかに記載の使用。
【請求項２４】
石鹸基剤が、全組成の０〜０．０１重量％の量のプロピレングリコールを含有する、請求項１〜２３のいずれかに記載の使用。
【請求項２５】
石鹸基剤が、プロピレングリコールを実質的に含まない、請求項１〜２４のいずれかに記載の使用。
【請求項２６】
界面活性剤、油、バター、ワックス、果物、野菜、粘土、ハーブ、穀物、豆、タンパク質、結合剤、充填剤、乳白剤、香料、着色材、芳香剤、スクラブ、角質除去剤及びそれらの混合物から選択される少なくとも１つの追加の成分をさらに含む、請求項１〜２５のいずれかに記載の使用。
【請求項２７】
水、砂糖、保湿剤及び石鹸が、石鹸基剤中で接触しており、前記石鹸基剤が、
（ｉ）前記石鹸基剤の２０〜５０重量％の量の石鹸と、
（ii）前記石鹸基剤の８〜４０重量％の量の水と、
（iii）砂糖及びソルビトールを合わせた量が、全組成の２〜１５重量％である、砂糖、ソルビトール又はそれらの混合物と、
（iv）前記石鹸基剤の５〜４０重量％の量の保湿剤と
を含む、請求項１に記載の使用。
【請求項２８】
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含み、
全組成の５重量％以下の量のエタノールを含む、固形石鹸を調製するための石鹸基剤。
【請求項２９】
全組成の１重量％以下の量のエタノールを含む、請求項２８に記載の石鹸基剤。
【請求項３０】
エタノールを実質的に含まない、請求項２８に記載の石鹸基剤。
【請求項３１】
（ａ）
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む石鹸基剤を準備するステップと、
（ｂ）前記石鹸基剤を、８０℃超〜１００℃未満の温度に加熱するステップと、
（ｃ）前記加熱された石鹸基剤を冷却して、石鹸を得るステップと
を含む、石鹸の製造のための方法。
【請求項３２】
請求項３１に記載の方法によって得られた又は得ることができる石鹸製品。
【請求項３３】
請求項２８〜３０のいずれかに記載の石鹸基剤から得られた又は得ることができる石鹸製品。
【請求項３４】
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む固形石鹸であって、
前記石鹸が全組成の５重量％以下の量のエタノールを含む、前記固形石鹸。
【請求項３５】
石鹸基剤が、全組成の１重量％以下の量のエタノールを含む、請求項３４に記載の石鹸。
【請求項３６】
石鹸基剤が、エタノールを実質的に含まない、請求項３４に記載の石鹸。
【請求項３７】
実施例を参照して、ここで実質的に定義されている通りの使用。
【請求項３８】
実施例を参照して、ここで実質的に定義されている通りの石鹸基剤又は固形石鹸。
【請求項３９】
実施例を参照して、ここで実質的に定義されている通りの方法。
【発明の詳細な説明】
【技術分野】
【０００１】
本発明は、使用、石鹸を調製するための石鹸基剤、前記石鹸を製造するための方法、及び該方法によって調製される製品に関する。
【背景技術】
【０００２】
本発明は、特に人体と接触して使用するための製品に関する。
【０００３】
本発明は、石油化学物質を含まない化粧製品への需要の高まりに関する。化粧製品の記録されている最古の使用は、紀元前２８００年の古代バビロンにおけるものであり、水、桂皮油及び溶解した灰から形成された石鹸を使用して衣類を洗濯し、機織り用の羊毛を調製していた。エジプト人は、動物性及び植物性脂肪を使用して同様の石鹸レシピを調製し、一方、ギリシャ人は、灰、水、サイプレス油及びゴマ油を利用した。しかしながら、西暦７７年にローマの科学者Pliny the Elder’s Historia Naturalisの刊行まで、サポという語（石鹸を表すラテン語）は使用されていなかった。同書は、獣脂及び灰からのサポの製造並びにヘアポマードとしてのその応用について考察している。しかし、身体から不純物を洗い落とすための石鹸の使用について記述したのは、西暦３００年、著名なローマ人医師Galenであった。
【０００４】
フランスにおいては、１５世紀までに、石鹸の製造が準工業化されていた。１６世紀には、より上質の石鹸に対する需要があるようになり、業界は動物性脂肪からオリーブ油等のより上質の植物油へ移行した。石鹸の使用は、潜在的な有害微生物の個体群規模を低減させることにおける衛生の役割についてのより良好な理解により、先進工業国において普遍的なものとなった。工業的に製造された棒状石鹸は、ヨーロッパ及びアメリカ合衆国における広告キャンペーンが、清潔さと健康との間の関係の大衆認知を促進したことから、１８世紀末に最初に利用可能となった。
【０００５】
石鹸の化学的性質は比較的単純であり、石鹸は、トリグリセリドの脂肪酸とアルカリとの間の中和反応により、グリセリンとともに生成されるイオン化合物である。脂肪酸源は、典型的には、植物油及びバターに由来し、石鹸において使用されるバター又は油のブレンドが、石鹸の特性を決定することになる。例えば、ココナツ油又はパーム油等の高ラウリン酸（脂肪酸）含有の油は、微量レベルしか含有しないオリーブ油又はココアバターと比較して、より多くの量の石鹸の泡を生成するであろう。
【０００６】
石鹸製造において使用されるアルカリは、典型的には、水酸化ナトリウム（又は液体石鹸では水酸化カリウム）である。水酸化ナトリウムを、蒸留又は脱イオン水で３０〜５０％溶液に希釈する。蒸留／脱イオン水は、鹸化反応を中断させる可能性があり、水中に存在するかもしれない重金属の過剰量として使用される。この溶液の生成は、発熱反応である。次いで、水酸化ナトリウム溶液を穏やかに撹拌し、３０℃〜５０℃の間に冷却する。２つの相が同程度の温度になったら、水酸化ナトリウム溶液を脂肪酸と混合させる。鹸化反応の大多数は、５〜１０分で完了する。しかしながら、化粧用の目的のために使用することが許容されるｐＨ（通常８〜８．５）に石鹸が到達するのに、最大２か月かかることがある。
【０００７】
上記で考察した方法は、石鹸の実際の製造について記述している。しかしながら、この石鹸を、さらに洗練された自噴式化粧石鹸（artesian cosmetic soaps）の製造において利用することができる。これは、石鹸工芸において「融かして注ぐ（melt and pour）」として公知の技術である。その過程において作製される石鹸はない（実際の鹸化は起こらない）ため、方法は上述したものとは異なる。石鹸（ここでは石鹸基剤と称する）を融かし、芳香剤、着色剤及び粘着防止剤等の追加の品目を添加してよい。まだ温かいうちに、製造物を鋳型に注ぎ入れ、冷却したら、これを薄切りすることができる。あらゆる石鹸基剤を効果的に融かすために、さらなる液体が必要であり、融かして注ぐ石鹸の製造において最もよく使用される液体は、プロピレングリコールである。特に、融かして注ぐ石鹸システムにおいて、その界面活性剤特性を依然として残す、注げる石鹸を製造するために、プロピレングリコールを使用して、水から石鹸基剤への熱の伝達を強化する。
【０００８】
プロピレングリコールは有機化合物（Ｃ３Ｈ８Ｏ２）であり、その無色透明で粘性の液体は、石油化学工業に由来する。プロピレングリコールは、食品、化粧品及び医薬品業界において使用されている。プロピレングリコールは、ＦＤＡによって「一般に安全と認められる」（ＧＲＡＳ，generally recognised as safe）とみなされており、保湿剤、溶媒及び保存料として使用される。しかしながら、メディアにおいて、プロピレングリコールの安全性について多数の否定的な報道があり、これらの報道は、大衆の意識に吸収されてきた。現在査読されている証拠はすべて、プロピレングリコールが安全なままであることを示唆しているが、多くの消費者に否定的認識が残っている。
【０００９】
プロピレングリコールの環境への影響は、文書で十分に立証されている。石油化学工業の悪影響に加えて、プロピレングリコールは、水系において分解中に高レベルの生化学的酸素要求量を発揮することが公知である。この過程は、水生生物が生存するために必要な酸素を消費することによって、水生生活に悪影響を及ぼすことがある。水系中に溶解した大量の酸素は、微生物がプロピレングリコールを分解するときに消費される。環境的観点から、プロピレングリコールの消費を低減させることが望ましい。
【先行技術文献】
【非特許文献】
【００１０】
【非特許文献１】Pliny the Elder’s Historia Naturalis
【発明の概要】
【発明が解決しようとする課題】
【００１１】
本発明は、プロピレングリコールの使用を必要としない石鹸基剤及び石鹸を提供することを求めている。
【課題を解決するための手段】
【００１２】
第一の態様において、石鹸への熱伝達を改善するための、（ｉ）水、（ii）砂糖、ソルビトール又はそれらの混合物及び（iii）保湿剤の使用が提供される。
【００１３】
第二の態様において、
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含み、
全組成の５重量％以下の量のエタノールを含む、固形石鹸を調製するための石鹸基剤が提供される。
【００１４】
第三の態様において、
（ａ）
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む石鹸基剤を準備するステップと、
（ｂ）石鹸基剤を、８０℃超〜１００℃未満の温度に加熱するステップと、
（ｃ）加熱された石鹸基剤を冷却して、石鹸を得るステップと
を含む、石鹸の製造のための方法が提供される。
【００１５】
第四の態様において、
（ａ）
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む石鹸基剤を準備するステップと、
（ｂ）石鹸基剤を、８０℃超〜１００℃未満の温度に加熱するステップと、
（ｃ）加熱された石鹸基剤を冷却して、石鹸を得るステップと
を含む、石鹸の製造のための方法によって得られた又は得ることができる製品が提供される。
【００１６】
第五の態様において、
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む固形石鹸であって、
前記石鹸が全組成の５重量％以下の量のエタノールを含む、前記固形石鹸が提供される。
【００１７】
本発明は、典型的には、本明細書において記述されている、融かして注ぐ方法によって固形石鹸に形成され得る石鹸基剤に関し、これは、石鹸を融かすときに熱伝達を補助するためにプロピレングリコールの存在を必要としない。本発明の石鹸基剤は、プロピレングリコールを含有せず、その製造においてプロピレングリコールを利用しなかった石鹸を購入するための選択をユーザーに提供する。
【００１８】
本発明は、融かして注ぐシステムからプロピレングリコールが排除されることを可能にする。本発明は、水及び砂糖、ソルビトール又はそれらの混合物を（熱及びグリセリン等の追加の保湿剤の存在下で）使用して、シロップを作成する。融かして注ぐ石鹸の製造中に、熱は、このシロップを通して、石鹸基剤中に存在するグリセリン等の保湿剤に伝達され得る。このエネルギー伝達は、鹸化脂肪酸が、それらのミセル構造から放出されることを可能にする。鹸化した頭部はシロップの水内容物に引き付けられ、一方、脂肪鎖はシロップの砂糖／ソルビトール内容物内に留まることができる。これは、石鹸を融かし、先に記載した通りの追加の材料の包含によって簡単に操作できる組成物を作成することを可能にする。この熱伝達システムは、このシステム内におけるプロピレングリコールの効果を、その包含を必要とすることなく模倣している。
【００１９】
プロピレングリコールの回避は、幾つもの理由で有利である。特に、プロピレングリコールは、典型的には、石油工業に由来する。多くの消費者は、それらの供給源材料として、化石燃料に頼っている製品を回避したいと願っている。さらに、本発明者らは、化粧品におけるプロピレングリコールの使用が、ユーザーにおいて皮膚感作性をもたらし得ることを見出した。本発明のシステムは、融かして注ぐ方法によって形成できるが、先行技術のシステムの不利点、すなわち使用時の皮膚感作性（skin sensitisation）を回避する、石鹸製品を提供する。
【００２０】
故に、本発明は、有利には、その製造のためにプロピレングリコールを必要としない、注げて成形できる石鹸の製品を提供する。故に、本発明は、石油化学誘導体を必要とせず、したがって、環境に対する潜在的悪影響を低減させる製品を提供する。さらに、本発明は、皮膚感作性を回避しながら、融かして注ぐ方法を実施することを可能にする製品を提供する。
【００２１】
本発明者らは、先行技術において、透明な、融かして注ぐ石鹸を提供するためには、有意な量の、エタノール等のアルコールが組成物中に含まれていなくてはならないと教示されたことも見出した。エタノールは、ユーザーの皮膚に対して刺激又は乾燥効果を有する。さらに、エタノールの存在は、多くの消費者にとって許容できないものであり、製造中、危険である。本発明者らは、エタノールを少量有する、又は好ましくは全く含まない石鹸が、本発明に従って調製され得ることを見出した。
【００２２】
参照を容易にするために、本発明のこれら及びさらなる態様を、ここで、適切な節見出し下で考察する。しかしながら、各節下での教示は、各特定の節に必ずしも限定されるとは限らない。
【図面の簡単な説明】
【００２３】
【図１】皮膚感受性データのグラフを示す図である。
【図２】皮膚感受性データのグラフを示す図である。
【発明を実施するための形態】
【００２４】
本明細書で考察されている通り、本発明の一態様において、石鹸への熱伝達を改善するための、（ｉ）水、（ii）砂糖、ソルビトール又はそれらの混合物及び（iii）保湿剤の使用が提供される。
【００２５】
本明細書で考察されている通り、本発明の一態様において、
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含み、
全組成の５重量％以下の量のエタノールを含む、固形石鹸を調製するための石鹸基剤が提供される。
【００２６】
本明細書で考察されている通り、本発明の一態様において、
（ａ）
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む石鹸基剤を準備するステップと、
（ｂ）石鹸基剤を、８０℃超〜１００℃未満の温度に加熱するステップと、
（ｃ）加熱された石鹸基剤を冷却して、石鹸を得るステップと
を含む、石鹸の製造のための方法が提供される。
【００２７】
本明細書で考察されている通り、石鹸は固形石鹸である。本発明の固体製品は、外部手段、例えば包装等によって支持されていない場合に、それらの物理的形状を実質的に持続させることができる組成物である。故に、該組成物は、室温で、固体、固体様、固体形態又は固体様形態であるとみなされる。誤解を避けるために、固体製品は、最大３０℃で実質的に固体のままでなくてはならない。
【００２８】
固体様によって、一部の材料、例えばガラス等の非晶質材料は、日常的に固体であるとみなされるが、極めて長い期間を経て、形状が変化し得ることが理解される。しかしながら、これらは、それらが満たす目的のためには固体であることから、固体様であるとみなされる。本発明の固体組成物の固体形態は、組成物の形状を維持するために外装が必要とされないことを意味する。
【００２９】
当業者には理解されるであろう通り、石鹸は脂肪酸の塩である。典型的には、本発明の石鹸は、１又は２以上の脂肪酸のナトリウム塩であろう。
【００３０】
本明細書で考察されている通り、本発明は、融かして注ぐシステムからプロピレングリコールが排除されることを可能にする。しかしながら、プロピレングリコールの存在を回避すべきであるが、その存在は本発明のシステムの作用を妨げないであろう。好ましい態様において、プロピレングリコールは、本発明のシステムから実質的に又は完全に除外される。故に、一態様において、石鹸基剤は、全組成の０〜１重量％の量の、好ましくは全組成の０〜０．１重量％の量の、好ましくは全組成の０〜０．０１重量％の量の、好ましくは全組成の０〜０．００１重量％の量の、プロピレングリコールを含有する。１つの好ましい態様において、石鹸基剤は、プロピレングリコールを実質的に含まない。
【００３１】
石鹸
本発明の使用の１つの好ましい態様において、石鹸は、全組成の２０〜５０重量％の量で存在する。
【００３２】
１つの好ましい態様において、石鹸は、全組成の２０〜４５重量％の量で存在する。１つの好ましい態様において、石鹸は、全組成の２０〜４０重量％の量で存在する。１つの好ましい態様において、石鹸は、全組成の２５〜５０重量％の量で存在する。１つの好ましい態様において、石鹸は、全組成の３０〜５０重量％の量で存在する。１つの好ましい態様において、石鹸は、全組成の３３〜５０重量％の量で存在する。１つの好ましい態様において、石鹸は、全組成の３５〜５０重量％の量で存在する。１つの好ましい態様において、石鹸は、全組成の３３〜４５重量％の量で存在する。１つの好ましい態様において、石鹸は、全組成の３５〜４５重量％の量で存在する。１つの好ましい態様において、石鹸は、全組成の３３〜３８重量％の量で存在する。１つの好ましい態様において、石鹸は、全組成のおよそ３８重量％の量で存在する。１つの好ましい態様において、石鹸は、全組成のおよそ３３重量％の量で存在する。
【００３３】
本明細書において記述されている組成物中に存在する石鹸は、任意の好適な供給源からのものであってよい。一態様において、石鹸は、鹸化植物油又は植物性バターである。一態様において、石鹸は、鹸化植物油である。
【００３４】
水
本発明の使用の１つの好ましい態様において、水は、全組成の８〜４０重量％の量で存在する。
【００３５】
１つの好ましい態様において、水は、全組成の８〜３５重量％の量で存在する。１つの好ましい態様において、水は、全組成の８〜３０重量％の量で存在する。１つの好ましい態様において、水は、全組成の８〜２５重量％の量で存在する。１つの好ましい態様において、水は、全組成の８〜２０重量％の量で存在する。１つの好ましい態様において、水は、全組成の８〜１６重量％の量で存在する。１つの好ましい態様において、水は、全組成のおよそ１２重量％の量で存在する。
【００３６】
１つの好ましい態様において、水は、全組成の１２〜３５重量％の量で存在する。１つの好ましい態様において、水は、全組成の１２〜３０重量％の量で存在する。１つの好ましい態様において、水は、全組成の１２〜２８重量％の量で存在する。１つの好ましい態様において、水は、全組成の１５〜３０重量％の量で存在する。１つの好ましい態様において、水は、全組成の２０〜３０重量％の量で存在する。１つの好ましい態様において、水は、全組成の２５〜３０重量％の量で存在する。１つの好ましい態様において、水は、全組成のおよそ２８重量％の量で存在する。
【００３７】
石鹸又は石鹸基剤中に存在する水は、任意の好適な供給源から提供されてよい。一態様において、水は、蒸留水、脱イオン水、水道水、植物浸出液（plant infusions）、植物煎じ汁（plant decoctions）（茶及びコーヒーを含む）、フルーツジュース、野菜ジュース、酢、ビール、ワイン、蒸留酒及びそれらの混合物から選択される供給源から提供される。一態様において、水は、蒸留水、脱イオン水及び水道水から選択される供給源から提供される。
【００３８】
砂糖／ソルビトール
本明細書で考察されている通り、石鹸基剤及び石鹸は、それぞれ、砂糖、ソルビトール又はそれらの混合物を含む。故に、一態様において、石鹸基剤は、砂糖を含む。一態様において、石鹸基剤は、ソルビトールを含む。一態様において、石鹸基剤は、砂糖及びソルビトールを含む。
【００３９】
砂糖が存在する場合、ソルビトールは存在してもしなくてもよい。一態様において、石鹸基剤及び石鹸は、それぞれ、砂糖を含み、ソルビトールを本質的に含まない。一態様において、石鹸基剤及び石鹸は、それぞれ、ソルビトールを含み、砂糖を本質的に含まない。
【００４０】
本発明の使用の１つの好ましい態様において、石鹸基剤及び石鹸は、それぞれ、砂糖、ソルビトール又はそれらの混合物を含み、ここで、砂糖及びソルビトールを合わせた量は、全組成の２〜１５重量％である。
【００４１】
１つの好ましい態様において、砂糖及びソルビトールを合わせた量は、全組成の５〜１５重量％である。１つの好ましい態様において、砂糖及びソルビトールを合わせた量は、全組成の６〜１２．５重量％である。１つの好ましい態様において、砂糖及びソルビトールを合わせた量は、全組成の７〜１５重量％である。１つの好ましい態様において、砂糖及びソルビトールを合わせた量は、全組成の１０〜１５重量％である。１つの好ましい態様において、砂糖及びソルビトールを合わせた量は、全組成の１２〜１５重量％である。１つの好ましい態様において、砂糖及びソルビトールを合わせた量は、全組成の５〜１３重量％である。１つの好ましい態様において、砂糖及びソルビトールを合わせた量は、全組成の１０〜１５重量％である。１つの好ましい態様において、砂糖及びソルビトールを合わせた量は、全組成のおよそ１２．５重量％である。１つの好ましい態様において、砂糖及びソルビトールを合わせた量は、全組成の２〜１５重量％である。１つの好ましい態様において、砂糖及びソルビトールを合わせた量は、全組成の２〜１２重量％である。１つの好ましい態様において、砂糖及びソルビトールを合わせた量は、全組成の２〜１０重量％である。１つの好ましい態様において、砂糖及びソルビトールを合わせた量は、全組成の４〜８重量％である。１つの好ましい態様において、砂糖及びソルビトールを合わせた量は、全組成の５〜７重量％である。１つの好ましい態様において、砂糖及びソルビトールを合わせた量は、全組成のおよそ６重量％である。
【００４２】
一態様において、砂糖は、スクロース（sucrose）、フルクトース（fructose）及びそれらの混合物から選択される。一態様において、砂糖は、スクロースである。一態様において、砂糖は、フルクトースである。一態様において、砂糖は、上白糖（castor sugar）、グラニュー糖（granulated sugar）、ブラウンシュガー（brown sugar）、スクロース粉末（sucrose powder）、フルクトース粉末（fructose powder）から選択される。
【００４３】
１つの好ましい態様において、スクロース、フルクトース及びソルビトールを合わせた量は、全組成の２〜１５重量％である。１つの好ましい態様において、スクロース、フルクトース及びソルビトールを合わせた量は、全組成の５〜１５重量％である。１つの好ましい態様において、スクロース、フルクトース及びソルビトールを合わせた量は、全組成の６〜１２．５重量％である。１つの好ましい態様において、スクロース、フルクトース及びソルビトールを合わせた量は、全組成の７〜１５重量％である。１つの好ましい態様において、スクロース、フルクトース及びソルビトールを合わせた量は、全組成の１０〜１５重量％である。１つの好ましい態様において、スクロース、フルクトース及びソルビトールを合わせた量は、全組成の１２〜１５重量％である。１つの好ましい態様において、スクロース、フルクトース及びソルビトールを合わせた量は、全組成の５〜１３重量％である。１つの好ましい態様において、スクロース、フルクトース及びソルビトールを合わせた量は、全組成の１０〜１５重量％である。１つの好ましい態様において、スクロース、フルクトース及びソルビトールを合わせた量は、全組成のおよそ１２．５重量％である。１つの好ましい態様において、スクロース、フルクトース及びソルビトールを合わせた量は、全組成の２〜１５重量％である。１つの好ましい態様において、スクロース、フルクトース及びソルビトールを合わせた量は、全組成の２〜１２重量％である。１つの好ましい態様において、スクロース、フルクトース及びソルビトールを合わせた量は、全組成の２〜１０重量％である。１つの好ましい態様において、スクロース、フルクトース及びソルビトールを合わせた量は、全組成の４〜８重量％である。１つの好ましい態様において、スクロース、フルクトース及びソルビトールを合わせた量は、全組成の５〜７重量％である。１つの好ましい態様において、スクロース、フルクトース及びソルビトールを合わせた量は、全組成のおよそ６重量％である。
【００４４】
１つの好ましい態様において、スクロース及びソルビトールを合わせた量は、全組成の２〜１５重量％である。１つの好ましい態様において、スクロース及びソルビトールを合わせた量は、全組成の５〜１５重量％である。１つの好ましい態様において、スクロース及びソルビトールを合わせた量は、全組成の６〜１２．５重量％である。１つの好ましい態様において、スクロース及びソルビトールを合わせた量は、全組成の７〜１５重量％である。１つの好ましい態様において、スクロース及びソルビトールを合わせた量は、全組成の１０〜１５重量％である。１つの好ましい態様において、スクロース及びソルビトールを合わせた量は、全組成の１２〜１５重量％である。１つの好ましい態様において、スクロース及びソルビトールを合わせた量は、全組成の５〜１３重量％である。１つの好ましい態様において、スクロース及びソルビトールを合わせた量は、全組成の１０〜１５重量％である。１つの好ましい態様において、スクロース及びソルビトールを合わせた量は、全組成のおよそ１２．５重量％である。１つの好ましい態様において、スクロース及びソルビトールを合わせた量は、全組成の２〜１５重量％である。１つの好ましい態様において、スクロース及びソルビトールを合わせた量は、全組成の２〜１２重量％である。１つの好ましい態様において、スクロース及びソルビトールを合わせた量は、全組成の２〜１０重量％である。１つの好ましい態様において、スクロース及びソルビトールを合わせた量は、全組成の４〜８重量％である。１つの好ましい態様において、スクロース及びソルビトールを合わせた量は、全組成の５〜７重量％である。１つの好ましい態様において、スクロース及びソルビトールを合わせた量は、全組成のおよそ６重量％である。
【００４５】
１つの好ましい態様において、フルクトース及びソルビトールを合わせた量は、全組成の２〜１５重量％である。１つの好ましい態様において、フルクトース及びソルビトールを合わせた量は、全組成の５〜１５重量％である。１つの好ましい態様において、フルクトース及びソルビトールを合わせた量は、全組成の６〜１２．５重量％である。１つの好ましい態様において、フルクトース及びソルビトールを合わせた量は、全組成の７〜１５重量％である。１つの好ましい態様において、フルクトース及びソルビトールを合わせた量は、全組成の１０〜１５重量％である。１つの好ましい態様において、フルクトース及びソルビトールを合わせた量は、全組成の１２〜１５重量％である。１つの好ましい態様において、フルクトース及びソルビトールを合わせた量は、全組成の５〜１３重量％である。１つの好ましい態様において、フルクトース及びソルビトールを合わせた量は、全組成の１０〜１５重量％である。１つの好ましい態様において、フルクトース及びソルビトールを合わせた量は、全組成のおよそ１２．５重量％である。１つの好ましい態様において、フルクトース及びソルビトールを合わせた量は、全組成の２〜１５重量％である。１つの好ましい態様において、フルクトース及びソルビトールを合わせた量は、全組成の２〜１２重量％である。１つの好ましい態様において、フルクトース及びソルビトールを合わせた量は、全組成の２〜１０重量％である。１つの好ましい態様において、フルクトース及びソルビトールを合わせた量は、全組成の４〜８重量％である。１つの好ましい態様において、フルクトース及びソルビトールを合わせた量は、全組成の５〜７重量％である。１つの好ましい態様において、フルクトース及びソルビトールを合わせた量は、全組成のおよそ６重量％である。
【００４６】
１つの好ましい態様において、スクロースの量は、全組成の２〜１５重量％である。１つの好ましい態様において、スクロースの量は、全組成の５〜１５重量％である。１つの好ましい態様において、スクロースの量は、全組成の６〜１２．５重量％である。１つの好ましい態様において、スクロースの量は、全組成の７〜１５重量％である。１つの好ましい態様において、スクロースの量は、全組成の１０〜１５重量％である。１つの好ましい態様において、スクロースの量は、全組成の１２〜１５重量％である。１つの好ましい態様において、スクロースの量は、全組成の５〜１３重量％である。１つの好ましい態様において、スクロースの量は、全組成の１０〜１５重量％である。１つの好ましい態様において、スクロースの量は、全組成のおよそ１２．５重量％である。
【００４７】
１つの好ましい態様において、フルクトースの量は、全組成の２〜１５重量％である。１つの好ましい態様において、フルクトースの量は、全組成の５〜１５重量％である。１つの好ましい態様において、フルクトースの量は、全組成の６〜１２．５重量％である。１つの好ましい態様において、フルクトースの量は、全組成の７〜１５重量％である。１つの好ましい態様において、フルクトースの量は、全組成の１０〜１５重量％である。１つの好ましい態様において、フルクトースの量は、全組成の１２〜１５重量％である。１つの好ましい態様において、フルクトースの量は、全組成の５〜１３重量％である。１つの好ましい態様において、フルクトースの量は、全組成の１０〜１５重量％である。１つの好ましい態様において、フルクトースの量は、全組成のおよそ１２．５重量％である。
【００４８】
１つの好ましい態様において、ソルビトールの量は、全組成の２〜１５重量％である。１つの好ましい態様において、ソルビトールの量は、全組成の５〜１５重量％である。１つの好ましい態様において、ソルビトールの量は、全組成の６〜１２．５重量％である。１つの好ましい態様において、ソルビトールの量は、全組成の２〜１５重量％である。１つの好ましい態様において、ソルビトールの量は、全組成の２〜１２重量％である。１つの好ましい態様において、ソルビトールの量は、全組成の２〜１０重量％である。１つの好ましい態様において、ソルビトールの量は、全組成の４〜８重量％である。１つの好ましい態様において、ソルビトールの量は、全組成の５〜７重量％である。１つの好ましい態様において、ソルビトールの量は、全組成のおよそ６重量％である。
【００４９】
保湿剤
本発明の使用の１つの好ましい態様において、石鹸基剤及び石鹸は、それぞれ、全組成の５〜４０重量％の量の保湿剤を含む。
【００５０】
１つの好ましい態様において、保湿剤の量は、全組成の５〜３５重量％である。１つの好ましい態様において、保湿剤の量は、全組成の５〜３０重量％である。１つの好ましい態様において、保湿剤の量は、全組成の５〜２５重量％である。１つの好ましい態様において、保湿剤の量は、全組成の５〜２０重量％である。１つの好ましい態様において、保湿剤の量は、全組成の７〜２０重量％である。１つの好ましい態様において、保湿剤の量は、全組成の１０〜２０重量％である。１つの好ましい態様において、保湿剤の量は、全組成の１２〜２０重量％である。１つの好ましい態様において、保湿剤の量は、全組成の１２．５〜１７重量％である。１つの好ましい態様において、保湿剤の量は、全組成の５〜１５重量％である。１つの好ましい態様において、保湿剤の量は、全組成の７〜１５重量％である。１つの好ましい態様において、保湿剤の量は、全組成の１０〜１５重量％である。１つの好ましい態様において、保湿剤の量は、全組成の１２〜１５重量％である。１つの好ましい態様において、保湿剤の量は、全組成の５〜１３重量％である。１つの好ましい態様において、保湿剤の量は、全組成の１０〜１５重量％である。１つの好ましい態様において、保湿剤の量は、全組成のおよそ１２．５重量％である。１つの好ましい態様において、保湿剤の量は、全組成の１０〜２５重量％である。１つの好ましい態様において、保湿剤の量は、全組成の１０〜２２重量％である。１つの好ましい態様において、保湿剤の量は、全組成の１５〜２０重量％である。１つの好ましい態様において、保湿剤の量は、全組成のおよそ１７重量％である。
【００５１】
当業者であれば、ソルビトールは保湿剤であるとみなされ得ることが分かる。ソルビトールが本発明において保湿剤として使用されるならば、成分（iii）及び（iv）の量は、別個に考慮すべきである。すなわち、ソルビトールの一部の量は、（iii）砂糖及びソルビトールを合わせた量が、全組成の２〜１５重量％である、砂糖、ソルビトール又はそれらの混合物の要件に加算されるとみなされてよく、ソルビトールの量の残りは、（iv）全組成の５〜４０重量％の量の保湿剤に加算されるとみなされてよい。
【００５２】
一態様において、保湿剤は、ソルビトール以外の保湿剤である。一態様において、保湿剤は、蜂蜜、グリセリン、アガベネクター（agave nectar）、フルーツシロップ、ハーブシロップ及びそれらの混合物から選択される。好ましくは、保湿剤は、蜂蜜、グリセリン及びそれらの混合物から選択される。
【００５３】
一態様において、本明細書における保湿剤へのすべての言及は、蜂蜜、グリセリン及びそれらの混合物によって置きかえられる。
【００５４】
１つの好ましい態様において、蜂蜜及びグリセリンを合わせた量は、全組成の５〜４０重量％である。１つの好ましい態様において、蜂蜜及びグリセリンを合わせた量は、全組成の５〜３５重量％である。１つの好ましい態様において、蜂蜜及びグリセリンを合わせた量は、全組成の５〜３０重量％である。１つの好ましい態様において、蜂蜜及びグリセリンを合わせた量は、全組成の５〜２５重量％である。１つの好ましい態様において、保湿剤は、蜂蜜、グリセリン及びそれらの混合物から選択される。この態様において、好ましくは、蜂蜜及びグリセリンを合わせた量は、全組成の５〜２０重量％である。１つの好ましい態様において、蜂蜜及びグリセリンを合わせた量は、全組成の７〜２０重量％である。１つの好ましい態様において、蜂蜜及びグリセリンを合わせた量は、全組成の１０〜２０重量％である。１つの好ましい態様において、蜂蜜及びグリセリンを合わせた量は、全組成の１２〜２０重量％である。１つの好ましい態様において、蜂蜜及びグリセリンを合わせた量は、全組成の１２．５〜１７重量％である。１つの好ましい態様において、蜂蜜及びグリセリンを合わせた量は、全組成の５〜１５重量％である。１つの好ましい態様において、蜂蜜及びグリセリンを合わせた量は、全組成の７〜１５重量％である。１つの好ましい態様において、蜂蜜及びグリセリンを合わせた量は、全組成の１０〜１５重量％である。１つの好ましい態様において、蜂蜜及びグリセリンを合わせた量は、全組成の１２〜１５重量％である。１つの好ましい態様において、蜂蜜及びグリセリンを合わせた量は、全組成の５〜１３重量％である。１つの好ましい態様において、蜂蜜及びグリセリンを合わせた量は、全組成の１０〜１５重量％である。１つの好ましい態様において、蜂蜜及びグリセリンを合わせた量は、全組成のおよそ１２．５重量％である。１つの好ましい態様において、蜂蜜及びグリセリンを合わせた量は、全組成の１０〜２５重量％である。１つの好ましい態様において、蜂蜜及びグリセリンを合わせた量は、全組成の１０〜２２重量％である。１つの好ましい態様において、蜂蜜及びグリセリンを合わせた量は、全組成の１５〜２０重量％である。１つの好ましい態様において、蜂蜜及びグリセリンを合わせた量は、全組成のおよそ１７重量％である。
【００５５】
１つの好ましい態様において、蜂蜜の量は、全組成の５〜４０重量％である。１つの好ましい態様において、蜂蜜の量は、全組成の５〜３５重量％である。１つの好ましい態様において、蜂蜜の量は、全組成の５〜３０重量％である。１つの好ましい態様において、蜂蜜の量は、全組成の５〜２５重量％である。１つの好ましい態様において、保湿剤は、蜂蜜、グリセリン及びそれらの混合物から選択される。この態様において、好ましくは、蜂蜜の量は、全組成の５〜２０重量％である。１つの好ましい態様において、蜂蜜の量は、全組成の７〜２０重量％である。１つの好ましい態様において、蜂蜜の量は、全組成の１０〜２０重量％である。１つの好ましい態様において、蜂蜜の量は、全組成の５〜１５重量％である。１つの好ましい態様において、蜂蜜の量は、全組成の７〜１５重量％である。１つの好ましい態様において、蜂蜜の量は、全組成の１０〜１５重量％である。１つの好ましい態様において、蜂蜜の量は、全組成のおよそ１２．５重量％である。
【００５６】
１つの好ましい態様において、グリセリンの量は、全組成の５〜４０重量％である。１つの好ましい態様において、グリセリンの量は、全組成の５〜３５重量％である。１つの好ましい態様において、グリセリンの量は、全組成の５〜３０重量％である。１つの好ましい態様において、グリセリンの量は、全組成の５〜２５重量％である。１つの好ましい態様において、保湿剤は、蜂蜜、グリセリン及びそれらの混合物から選択される。１つの好ましい態様において、グリセリンの量は、全組成の１０〜２５重量％である。１つの好ましい態様において、グリセリンの量は、全組成の１０〜２０重量％である。１つの好ましい態様において、グリセリンの量は、全組成の１２〜２０重量％である。１つの好ましい態様において、グリセリンの量は、全組成の１０〜２２重量％である。１つの好ましい態様において、グリセリンの量は、全組成の１５〜２０重量％である。１つの好ましい態様において、グリセリンの量は、全組成のおよそ１７重量％である。
【００５７】
故に、一態様において、
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）蜂蜜及びグリセリンを合わせた量が、全組成の５〜４０重量％である、蜂蜜、グリセリン又はそれらの混合物と
を含み、
全組成の５重量％以下の量のエタノールを含む、固形石鹸を調製するための、石鹸基剤が提供される。
【００５８】
本明細書で考察されている通り、本発明は、エタノールが融かして注ぐシステムから排除されることを可能にする。しかしながら、エタノールの存在を回避すべきであるが、その存在は本発明のシステムの作用を妨げないであろう。好ましい態様において、エタノールは、本発明のシステムから実質的に又は完全に除外される。故に、一態様において、石鹸基剤は、全組成の０〜１重量％の量の、好ましくは全組成の０〜０．１重量％の量の、好ましくは全組成の０〜０．０１重量％の量の、好ましくは全組成の０〜０．００１重量％の量の、エタノールを含有する。１つの好ましい態様において、石鹸基剤は、エタノールを実質的に含まない。
【００５９】
さらなる成分
石鹸基剤又は石鹸は、所望の組成物を提供するため等の１又は２以上の追加成分を含有してよい。一態様において、石鹸基剤又は石鹸は、界面活性剤、油、バター、ワックス、果物、野菜、粘土、ハーブ、穀物、豆、タンパク質、結合剤、充填剤、乳白剤、香料、着色材、芳香剤、スクラブ（scrubs）、角質除去剤（exfoliants）及びそれらの混合物から選択される少なくとも１つの追加成分をさらに含む。
【００６０】
一態様において、石鹸基剤又は石鹸は、追加の界面活性剤をさらに含む。追加の界面活性剤は、ラウリル硫酸ナトリウム、ラウレス硫酸ナトリウム、ラウリル硫酸アンモニウム、ラウレス硫酸アンモニウム、ココアンホ酢酸ナトリウム、スルホコハク酸ラウレス二ナトリウム及びラウリルベタインから選択されてよい。存在する場合、追加の界面活性剤は、全組成の４〜３５重量％の量で存在してよい。
【００６１】
一態様において、石鹸基剤又は石鹸は、油、バター、ワックス又はそれらの混合物をさらに含む。油、バター及びワックスは、扁桃油（almond oil）、ゴマ油（sesame oil）、月見草油（evening primrose oil）、ホホバ油（jojoba oil）、ココアバター（cocoa butter）、シアバター（shea butter）、マンゴーバター（mango butter）、クプアスバター（cupuacu butter）、ラノリン（lanolin）、ビーズワックス（beeswax）、ローズワックス（rose wax）及びオレンジピールワックス（orange peel wax）から選択されてよい。存在する場合、油、バター及びワックスは、合わせて全組成の１０〜７０重量％の量で存在してよい。
【００６２】
一態様において、石鹸基剤又は石鹸は、果物及び野菜をさらに含む。果物及び野菜は、アボカド、バナナ、イチゴ及びブルーベリーから選択されてよく、存在する場合、果物及び野菜は、合わせて全組成の０．５〜１０重量％の量で存在してよい。
【００６３】
一態様において、石鹸基剤又は石鹸は、芳香剤をさらに含む。存在する場合、芳香剤は、全組成の０．１〜５重量％の量で存在してよい。本発明の組成物を使用するという経験をより快適にするために、芳香剤を製品に添加してよい。本発明のための芳香剤に、ラベンダー、カモミール又はローズアブソリュート等の精油を合わせることは、ユーザーが快適な洗浄経験をすることを確実にする。芳香剤の量は、好ましくは、全組成の０．１％〜５重量％、例えば全組成の０．１％〜４重量％等、例えば全組成の０．５％〜５重量％等、例えば全組成の１％〜５重量％等、例えば全組成の０．５％〜４重量％等、例えば全組成の０．５％〜３重量％等、例えば全組成の０．５％〜２重量％等、例えば全組成の０．５％〜１．５重量％等である。
【００６４】
精油は、所望される芳香剤、処置される肌タイプ、及び精油の周知の特性に基づいて所望される他の効果に基づいて選択してよい。精油の添加は、鼻に吸い込んだときに、気分を変えることが公知である。例えば、精油は、眠気又は感覚を刺激するという効果を作りだすことが公知である。多くの文書で十分に立証されている効果を、精油の使用によって実現することができる。
【００６５】
一実施形態において、製品中に存在する１又は２以上の精油は、タラゴン（Tarragon）、レモンマートル（Lemon myrtle）、ジャスミン、イランイラン（Ylang ylang）、ラブダナム（Labdanum）、レモングラス（Lemongrass）、ローズオットー（Rose otto）、グレープフルーツ、パチュリー（Patchouli）、ローズマリー、アルモアズ（Armois）、レモン、ネロリ（Neroli）、ニオイスミレ（Sweet violet）、ラベンダー、オレンジ５０倍（Orange 50 fold）、バニラ（Vanilla）、ペパーミント、ベンゾイン（Benzoin）、アジサイ、リツェアクベバ（Litsea Cubeba）、カルダモン（Cardamon）、トンカ（Tonka）及びカモミールブルー（Chamomile blue）から選択される。一実施形態において、製品中に存在する１又は２以上の精油は、タラゴン、レモンマートル、ラブダナム及びレモングラスから選択される。
【００６６】
ビタミン、特にＢ、Ｃ及びＥは、皮膚に非常に有益である。小麦胚芽油等のビタミンが豊富な原料を使用して、ビタミンを皮膚に送達することもできる。一実施形態において、ビタミンは、ビタミンＢ、ビタミンＣ、ビタミンＥ及びそれらの混合物から選択される。当業者であれば、ビタミンが任意の好適な供給源から提供され得ることが分かるであろう。例えば、ビタミンは、合成供給源から、又は、高いビタミン含有量を有する天然材料等の材料の製品への組み込みから、提供され得る。
【００６７】
一態様において、石鹸基剤又は石鹸は、着色剤材料をさらに含む。存在する場合、着色剤材料は、全組成の０．００１〜３重量％の量で存在してよい。
【００６８】
一態様において、石鹸基剤又は石鹸は、粘土をさらに含む。粘土は、すべての好適な粘土から選択されてよい。好ましくは、粘土は、カオリン、タルク、カラミン（calamine）、ラソールマッド（rhassoul mud）、フラー土（fullers earth）、ベントナイト粘土及びそれらの混合物から選択される。存在する場合、粘土は、全組成の０．１〜２０重量％の量等、全組成の０．１〜３５重量％の量で存在してよい。
【００６９】
一態様において、石鹸基剤又は石鹸は、ハーブ、穀物、豆又はそれらの混合物をさらに含む。好ましくは、ハーブ、穀物、豆又はそれらの混合物は、オート麦、米、桂皮、バニラ、小豆、海藻及びそれらの混合物から選択される。存在する場合、ハーブ、穀物、豆又は混合物は、合わせて全組成の０．０１〜３０重量％の合わせた量等、全組成の０．０１〜３５重量％の量で存在してよい。
【００７０】
一態様において、化粧品組成物は、タンパク質をさらに含む。タンパク質は、すべての好適なタンパク質から選択されてよい。好ましくは、タンパク質は、豆腐、バナナ、大豆、大豆レシチン、卵及びそれらの混合物から選択される。存在する場合、タンパク質は、全組成の１％〜２０重量％の量で存在してよい。
【００７１】
方法
本明細書で考察されている通り、一態様において、本発明は、
（ａ）
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む石鹸基剤を準備するステップと、
（ｂ）石鹸基剤を、８０℃超〜１００℃未満の温度に加熱するステップと、
（ｃ）加熱された石鹸基剤を冷却して、石鹸を得るステップと
を含む、石鹸の製造のための方法を提供する。
【００７２】
成分（iii）が砂糖である態様において、好ましい組成物は、次の通りに調製される。
【００７３】
【表１】
2017508027.tif 000002
【００７４】
成分（iii）がソルビトールである態様において、好ましい組成物は、次の通りに調製される。
【００７５】
【表２】
2017508027.tif 000003
【００７６】
いずれかの組成物の成分は、下記の方法に従って加工される：
１．  Ａを６５℃〜９５℃の間に加温する。理想的な温度は８５℃である。
２．  温度を維持しながら、ＢをＡに徐々に添加する。
３．  すべての石鹸基剤が融けるまで、ＡＢを一緒に混ぜる。
４．  ＡＢを６０℃〜３０℃の間に冷却し、理想的な温度は３５℃である。
５．  Ｃを添加する。次いで、鋳型に注ぎ入れ、冷却して固める。
【００７７】
さらなる態様
さらなる態様において、本発明は、
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む、固形石鹸を調製するための石鹸基剤を提供する。
【００７８】
（ａ）
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む石鹸基剤を準備するステップと、
（ｂ）石鹸基剤を加熱するステップと、
（ｃ）加熱された石鹸基剤を冷却して、石鹸を得るステップと
を含む、石鹸の製造のための方法。
【００７９】
（ａ）
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む石鹸基剤を準備するステップと、
（ｂ）石鹸基剤を加熱するステップと、
（ｃ）加熱された石鹸基剤を冷却して、石鹸を得るステップと
を含む方法によって得られた又は得ることができる石鹸製品。
【００８０】
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む石鹸基剤から得られた又は得ることができる石鹸製品。
【００８１】
（ｉ）全組成の２０〜５０重量％の量の石鹸と、
（ii）全組成の８〜４０重量％の量の水と、
（iii）砂糖及びソルビトールを合わせた量が、全組成の２〜１５重量％である、砂糖、ソルビトール又はそれらの混合物と、
（iv）全組成の５〜４０重量％の量の保湿剤と
を含む、固形石鹸。
［実施例］
【００８２】
ここで、下記の非限定的な例を参照して、本発明について記述する。
【実施例１】
【００８３】
砂糖ベースの石鹸基剤
下記の砂糖ベースの石鹸基剤を調製した。石鹸基剤は、下記の組成を有していた。
【００８４】
【表３】
2017508027.tif 000004
【００８５】
方法
１．  Ａを８５℃に加温する。
２．  温度を維持しながら、ＢをＡに徐々に添加する。
３．  すべての石鹸基剤が融けるまで、ＡＢを一緒に混ぜる。
４．  ＡＢを３５℃に冷却する。
５．  Ｃを添加する。次いで、鋳型に注ぎ入れ、冷却して固める。
【００８６】
調製方法中、熱は石鹸（鹸化植物油）に容易に伝達され、これにより成分が簡単に分散した。
【実施例２】
【００８７】
ソルビトールベースの石鹸基剤
下記のソルビトールベースの石鹸基剤を調製した。石鹸基剤は、下記の組成を有していた。
【００８８】
【表４】
2017508027.tif 000005
【００８９】
実施例１の方法を利用した。
【００９０】
調製方法中、熱は石鹸（鹸化植物油）に容易に伝達され、これにより成分が簡単に分散した。
【実施例３】
【００９１】
皮膚感作性
方法
KeratinoSens（商標）試験は、ヒト皮膚の表皮に由来する、ケラチノサイトとして公知の細胞を活性化させる、試験品目の可能性を検出する。ルシフェラーゼ（luciferase）と呼ばれるマーカーの特殊な遺伝子を、細胞に挿入した。皮膚感作物質の存在下で、ルシフェラーゼは活性化し、光シグナルの放出を引き起こし、これを試験において測定する。未処理対照よりも１．５倍超のルシフェラーゼ活性の誘導により、皮膚感作物質として分類される。
【００９２】
直接ペプチド反応性アッセイ（ＤＰＲＡ，Direct Peptide Reactivity Assay）は、システイン及びリジンと呼ばれる皮膚タンパク質の２つのビルディングブロック（building blocks）と結合する、試験品目の可能性を測定する。試験品目を適切な溶媒に溶解し、システイン又はリジンとともに２４時間にわたってインキュベートする。ペプチド枯渇を、高速液体クロマトグラフィー（ＨＰＬＣ，High Performance Liquid Chromatography）によって測定する。枯渇パーセントの値により、試験品目の反応性クラスを、最小、低、中又は高として決定する。最小反応性クラスは、試験品目が非感作物質であるという予測をもたらし、低、中又は高反応性クラスは、試験品目が皮膚感作物質であるという予測をもたらす。
【００９３】
皮膚感作性は、炎症につながる事象の複雑な経路である。これは、多くの場合、化粧製品の長期使用中における反復曝露に関連し、その間に、個体は、配合物内の１又は２以上の原料に対して感作され得る。２つの石鹸のヒト皮膚感作性可能性を、感作経路における２つの異なる点を調べる、２つの有効なインビトロでの方法：皮膚タンパク質の結合を決定するための直接ペプチド反応性アッセイ（ＤＰＲＡ）及びケラチノサイト活性化を決定するためのKeratinoSens（商標）試験を使用して評価した。
【００９４】
試験した２つの石鹸は、（ｉ）実施例２に従って調製したソルビトールベースの石鹸及び（ii）ソルビトールの代わりにプロピレングリコールを使用した類似の石鹸であった。
【００９５】
これらの２つの試験の併用は、欧州動物実験代替法評価センター（ＥＣＶＡＭ，European Centre for the Validation of Alternative Methods）からの現在の勧告に合致している。これらの組成物を評価した時点で、試験方法はＯＥＣＤガイドライン草案であった。しかしながら、KeratinoSens（商標）及びＤＰＲＡガイドラインは、その後、ＯＥＣＤによって、化学的実体のインケミコ及びインビトロでの皮膚感受性評価について承認されている（KeratinoSens（商標）：「ＯＥＣＤ試験ガイドライン４４２Ｄ」及びＤＰＲＡ：「ＯＥＣＤ試験ガイドライン４４２Ｃ」）。これらのガイドラインは、２０１６年までにＲＥＡＣＨに組み込まれることが予測される。
【００９６】
これらの試験は、XCellR8社の優良試験所規範（ＧＬＰ，Good Laboratory Practice）認定研究所において、いかなる動物由来の成分も使用することなく、完全に動物質を含まない試験戦略を確実にして、実施した。
【００９７】
ＤＰＲＡ試験において、プロピレングリコール含有石鹸はヒト皮膚に対して非感作物質として分類された。しかしながら、KeratinoSens（商標）試験において、プロピレングリコール含有石鹸は、皮膚感作物質として分類された。全般的に見て、試験結果は、プロピレングリコール含有石鹸がヒト皮膚細胞（ケラチノサイト）の活性化による幾らかの感作可能性を有し得ることを示唆しており、これは、感受性の強い個体においては炎症をもたらし得る。
【００９８】
対照的に、ＤＰＲＡ試験及びKeratinoSens（商標）試験の両方において、ソルビトールベースの石鹸は、ヒト皮膚に対して非感作物質として分類された。
【００９９】
ＤＰＲＡデータを以下の表において提供する。
【０１００】
【表５】
2017508027.tif 000006
【０１０１】
KeratinoSens（商標）試験データは、図１及び２において見ることができる。
【０１０２】
本発明の種々の修正形態及び変形形態が、本発明の範囲及び趣旨から逸脱することなく、当業者に明らかとなるであろう。具体的な好ましい実施形態との関連で本発明について記述してきたが、特許請求される通りの本発明は、そのような具体的な実施形態に過度に限定されるべきではないことを理解すべきである。実際に、化学、生物学又は関連分野の当業者に明白な、本発明を行うための記述されているモードの種々の修正形態は、下記の請求項の範囲内であるよう意図されている。
【図１】
2017508027.tif 000007
【図２】
2017508027.tif 000008
【国際調査報告】
2017508027.tif 000009
2017508027.tif 000010
2017508027.tif 000011